(57)【特許請求の範囲】
【請求項１】
夫々のセル室内に極板群を収容したモノブロック電池電槽の上面に施された電槽蓋に、その蓋板面のセンターラインの１側に夫々のセル室に対応する位置に排気口を配設すると共に夫々の排気口に安全弁を装着し、該センターラインの他側に防爆フィルターと一括排気ノズルを設け、これら排気口を囲繞し且つセンターラインを横断して該一括排気ノズルに接続する囲枠を突設し、該囲枠に該囲枠内の共通の排気用空間の上面を被覆する排気覆板を施したことを特徴とする防爆型密閉蓄電池。
【請求項２】
該囲枠はＴ字状である請求項１記載の防爆型密閉蓄電池。
【請求項３】
該囲枠は方形状である請求項１記載の防爆型密閉蓄電池。
【請求項４】
該囲枠は、Ｔ字状囲枠と方形状囲枠の組み合わせである請求項１，２又は３記載の防爆型密閉蓄電池。
【請求項５】
該方形状囲枠に提げ手を取り付けて成る請求項１，３又は４記載の防爆型密閉蓄電池。
【発明の詳細な説明】
【０００１】
【発明の属する技術分野】
本発明は、電気自動車やレジャー用施設や電気機器の電源として用いられる防爆型密閉蓄電池に関する。
【０００２】
【従来の技術】
従来の密閉蓄電池は、充電中に、モノブロック電池電槽内の夫々のセル室内の極板群から発生する水素ガスに外部から引火した場合に蓄電池が損傷することがある。これを防止するため、従来、防爆型密閉蓄電池として、図６示のように構成したものは公知である。即ち、該モノブロック電池電槽の上面に施された電槽蓋Ａの蓋板Ａ１の１側に、電槽内を仕切壁により区劃された複数個のセル室に対応する位置に排気口Ｂ，Ｂ，…を配設すると共に、これら排気口Ｂ，Ｂ，…に安全弁Ｃ，Ｃ，…を装着し、更に、その１側外方に防爆フィルターＤと一括排気ノズルＥを設け、これらの排気口Ｂ，Ｂ，…を囲繞すると共に該一括排気ノズルＥに接続する囲枠Ｆを突設し、該囲枠Ｆ内の共通の排気用空間Ｇの上面を被覆する排気覆板Ｈを気密に結着して成る構成としたものである。図面でＩは、一括排気ノズルＥの外周に設けた排気チューブ挿嵌用接続孔、Ｐ及びＮは、該蓋板Ａ１の他側に配設した正極柱及び負極柱、ＰＴ及びＮＴは、これら正，負極柱Ｐ，Ｎに接続するスタッドボルト型正極端子及び負極端子を示す。
【０００３】
【発明が解決しようとする課題】
上記従来の防爆型密閉蓄電池は、該防爆フィルターＤは、これらの排気口Ｂ，Ｂ，…と同じ側に、即ち、これら排気口Ｂ，Ｂ，…に接近した位置に在るため、蓄電池の充電中に電池内に発生したガスが、その過剰ガス圧により開かれる安全弁Ｃ，Ｃ，…を介して該共通の排気用空間Ｇ内に排気され、そのガス中に含まれる酸霧により該防爆フィルターＤが濡れて目詰まりし、防爆機能が早期に低下し或いは失われ、これに伴い蓄電池内の水素ガス濃度が早期に高くなるため、損傷の危険を生じ易かった。
また、該防爆型密閉蓄電池は、横倒しにして、その複数個を配置し、その相隣る正，負極間を接続する場合、端子間の接続作業をし易いように正，負極端子ＰＴ，ＮＴを上位に位置させて横置するが、該一括排気ノズルＥは下向きとなるので、該防爆フィルターＤは一層酸霧により濡れて詰まり易く、防爆フィルターＤとしての機能が一層早く損なわれるばかりか、遂には、該一括排気ノズルＥから外部に電解液が漏れ出し、通常、筒状成形体から成る排気ノズルＥに接続された排気チューブ内に電解液が漏れ出て良好な排気作用を阻害するのみならず、蓄電池の周辺を汚す等の不都合をもたらす。
【０００４】
【課題を解決するための手段】
本発明は、上記従来の防爆型密閉蓄電池の課題を解消した防爆型密閉蓄電池を提供するもので、夫々のセル室内に極板群を収容したモノブロック電池電槽の上面に施された電槽蓋に、その蓋板面のセンターラインの１側に夫々のセル室に対応する位置に排気口を配設すると共に夫々の排気口に安全弁を装着し、該センターラインの他側に防爆フィルターと一括排気ノズルを設け、これら排気口を囲繞し且つセンターラインを横断して該一括排気ノズルに接続する囲枠を突設し、該囲枠に該囲枠内の共通の排気用部空間の上面を被覆する排気覆板を施したことを特徴とする。
この場合、該囲枠をＴ字状又は方形状又はこれらの組み合わせた囲枠とすることができる。特に、Ｔ字状囲枠の場合は、ガス中の酸霧補足効果が向上する。また、方形状の囲枠の場合は、これに提げ手を取り付けることに利用し、これにより、蓄電池を提げて搬送できる便利さをもたらす。
【０００５】
【発明の実施の形態】
本発明の実施の形態の１例を添付図面に基づいて説明する。
図面で１はモノブロック電槽、２は該モノブロック電槽１内の仕切壁、３は該仕切壁２により区劃形成されたセル室、４は各セル室３内に収容された極板群を示す。これら極板群４，４，…は、仕切壁３を介して対向するその正，負ストラップ４ａ，４ｂを常法によりセル間接続して両端のセル室３，３内の極板群４，４の正，負ストラップより夫々正極柱Ｐ、負極柱Ｎを直立させて電池に組立て、このように組立てた電池電槽５の上面に常法により接着剤又は熱溶着で電槽蓋６の蓋板６ａの下向きの周縁６ｂを該電槽１の周側壁１ａの上端に、その裏面を該電槽１の仕切壁２，２，…の上端に当接し、接着剤又は熱溶着を介して結着して気液密に施したものである。該電槽蓋６には、その長矩形の蓋板６ａの短い側の幅方向における１側に、該電槽１内の夫々のセル室３，３，…に対応する位置に該蓋板６ａを貫通して排気口７，７，…を一列に配設した。その各排気口７は、蓋板面６ａより突設して円筒状壁７ａをもつ筒状排気口に形成した。更に、各排気口７には、安全弁８を、図示の例では、柔軟弾性のゴム製帽体から成る安全弁８をその円筒状壁７ａにその弾性により密嵌せしめ常閉弁としたもので、各セル室３内に発生したガスが所定の過剰圧となったとき、その放出を許容するようにした。
上記の構成は、従来の密閉蓄電池と変わりがない。
【０００６】
本発明によれば、この蓄電池を防爆型密閉蓄電池とするには、次のように構成する。即ち、該蓋板６ａの前記幅方向の他側に、即ち、その１側に配設した前記の排気口７，７，…とは反対側に、該蓋板６ａの前記の幅方向におけるセンターラインＸ−Ｘを横断した他側に、防爆フィルター９と一括排気ノズル１０を設けたことを特徴とし、更に、該蓋板６ａに、これらの排気口７，７，…を囲繞し且つその１側から該センターラインＸ−Ｘを横断してその他側に延び、該一括排気ノズル１０に接続する囲枠１１を突設し、その囲枠１１に、該囲枠１１内の共通の排気用空間１３の上面を被覆する排気覆板１２を当接し、接着剤又は熱溶着により結着して施したことを特徴とする。
該防爆フィルター９は、センターラインＸ−Ｘを横断した他側に該一括排気ノズル１０の近傍に設け、その１側において並ぶ排気口７，７，…から可及的に遠い位置に存せしめるようにした。かくして、これら排気口７，７，…から排気されるガスに含まれる酸霧は、該防爆フィルター９に到達する間に、その下方の該蓋板６ａの表面、その上方の排気覆板１２の裏面及び該囲枠１１のセンターラインＸ−Ｘを横断して１側から他側に延び且つ該一括排気ノズル１０に接続される囲枠壁１１の内面に付着して除去されるので、該防爆フィルター９は酸霧により詰まり、防爆機能が損なわれることなく、長期に亘り防爆機能を維持でき、安全な防爆型密閉蓄電池をもたらす。
【０００７】
該防爆フィルター９及び一括排気ノズル１０の位置は、一列に配列されている排気口７，７，…列の中央に位置せしめ、これら排気口７，７，…列からの一括排気を左右から中央に集めて行うようにすることが好ましい。この場合の該囲枠１１は、排気口７，７，…列に沿って延びるその内側の枠部１１ａをその中央部近傍において折れ曲がり、センターラインＸ−Ｘを横断して該防爆フィルター９及び該一括排気ノズル１０に接続する左右の延長枠部１１ａ１，１１ａ１に形成し、その対向する延長枠部１１ａ１，１１ａ１間に狭幅の一括排気案内用凹溝１３ａ１を形成した全体としてＴ字状の囲枠１１ａとすることにより、これら排気口７，７，…から排気されたガスは、該Ｔ字状囲枠１１ａにより囲繞されたＴ字状の共通の排気用空間１３ａ及び１３ａ１内の左右から中央に集中し、その凹溝１３ａ１内に流入するので、その含有する酸霧は、その左右の延長枠部１１ａ１，１１ａ１の内壁に接触し、付着する機会が与えられるので、酸霧除去効果が向上し好ましい。
【０００８】
また、該囲枠１１は、上記のＴ字上の囲枠１１ａに変えて、該排気口７，７，…に沿って延びる内側の枠部をその左右端近傍において他側方向へ折れ曲がり、センターラインＸ−Ｘを横断してその他側に延び、更に該一括排気ノズル１０に接続するように延びる左右の延長枠部１１ｂ１，１１ｂ１に形成し全体として略方形状の囲枠１１ｂとし、その内部を略方形状の共通の排気用空間１３ｂに形成するようにしてもよい。かくして、該排気口７，７，…により排気されたガスは、広い方形の共通の排気用空間１３ｂを介してその他側の該防爆フィルター９に達する間にその周囲の壁面に酸霧が付着し除去されるので、該防爆フィルター９の酸霧により濡れて防爆機能の低下を防止でき、長期に亘り防爆機能を維持できる。また、該成形囲枠１１ｂを利用し、その１側の外側枠部とその他側の枠部に、その中央の該一括排気ノズル１０の左右に一対の提げ手取付用の取付部１４，１４を設け、これに一対の提げ手１５，１５を取り付けるときは、手で搬送し得る防爆型密閉蓄電池に構成することができる。尚、提げ手１５，１５の把手部１５ａ，１５ａは、該排気覆板１２に形成した凹溝１２ａに収容するようにした。
【０００９】
図示の実施例では、該蓋板６ａに、該略方形状囲枠１１ｂの内部に、該Ｔ字状囲枠１１ａを組み込んだ両囲枠１１ａ，１１ｂを突設したものに構成し、上記の夫々の作用、効果を有するものに構成した。図面で１６は、合成樹脂成形により筒状の一括排気ノズル１０と一体にその外周に設けた排気ホース接続用の円環状挿着用孔を示す。正極柱Ｐ及び負極柱Ｎは蓋板６ａの他側に配設し、これら極柱Ｐ，Ｎに接続された正極端子ＰＴ及び負極端子ＮＴは、蓋板６ａの幅方向の中央に、即ち、該センターラインＸ−Ｘ上に配設されている。
【００１０】
かくして、図示の本発明の蓄電池の構成によれば、該防爆フィルター９及び該一括排気ノズル１０は、排気口７，７，…の位置する１側とは反対側の遠い位置に在るので、充電中において、電池内に発生するガスがこれら排気口７，７，…から排出され、その防爆フィルター９に到達する間に、ガス中に含有する酸霧の除去が良好に行われ、該防爆フィルター９は酸霧で濡れて目詰まりする危険性を著しく低減でき、防爆効果延長をもたらし、一層安全な密閉蓄電池をもたらす。また、該防爆フィルター９を通過して蓄電池を正，負極端子を上位に来るように横置して使用した場合、該一括排気ノズル１０も上に向くので、該ノズル１０から電解液が外部に漏出する心配は全くなくなり、安全に使用できる。また、必要に応じ、蓄電池の運搬は、手に提げて取り扱うことができる。
【００１１】
尚、該防爆フィルター９は、図１及び図３に明らかなように、対向する該枠部１１ａ１，１１ａ１の端部に設けた円筒状壁１７内に水平状態に嵌装せしめて設け、円筒状壁１７の上端に該排気覆板１２の裏面から突出させた１側に通気孔１２ｂをもつ円筒状壁１２ｃを当接し、該排気覆蓋１２の裏面に左右一対の下垂導壁１８，１８を該枠部１１ａ１，１１ａ１の上端に当接せしめ、該一括排気用案内用凹溝１３ａ１の上方に追加の一括排気案内用凹溝１８ａを形成し、共通の排気ガスを追加の該一括排気案内用凹溝１８ａを通過させ、該防爆フィルター９の上方から下方へ通過させるように構成する。然るときは、酸霧の捕集が更に向上する。尚、更に該左右一対の枠部１１ａ１，１１ａ１の内面に左右に所定間隙存して交互に複数の邪魔板１９，１９を突設するときは、更に酸霧の除去を良好に行うことができ、該防爆フィルター９の濡れを防止することができる。
【００１２】
【発明の効果】
このように本発明によるときは、電槽蓋の蓋板面に、そのセンターラインの１側に排気口を配設し、その他側に防爆フィルターと一括排気ノズルを設け、これら排気口を囲繞し且つ該一括排気ノズルに接続する囲枠を突設し、該囲枠にその内部空間の上面を被覆する排気覆板を施したので、これら排気口から該防爆フィルターまでの距離は長くなり、充電時、排気口より排出されるガス中の酸霧の除去効果が向上し、該防爆フィルターが濡れにくゝなり、防爆機能が容易に損なわれることがなく、防爆型密閉蓄電池の使用寿命を向上できる。この場合、該囲枠をＴ字状とするときは、酸霧の除去が更に向上する。また、該囲枠を方形状とし、これに提げ手を取り付けるときは、防爆型密閉蓄電池を手に提げて搬送できる。
【図面の簡単な説明】
【図１】本発明実施の１例の防爆型密閉蓄電池の排気覆板の半部を裁除した平面図。
【図２】図１のＩＩ−ＩＩ線裁断面図。
【図３】図１のＩＩＩ−ＩＩＩ線裁断面図。
【図４】図１のＩＶ−ＩＶ線裁断面図。
【図５】図１のＶ−Ｖ線裁断面図。
【図６】従来の防爆型密閉蓄電池の排気覆板の半部を裁除した平面図。
【符号の説明】
１  モノブロック電槽                ２  仕切壁
３  セル室                          ４  極板群
５  電池電槽                        ６  電槽蓋
６ａ  蓋板                          Ｘ−Ｘ  蓋板面のセンターライン
７  排気口                          ８  安全弁
９  防爆フィルター                  １０  一括排気ノズル
１１  囲枠                          １１ａ  Ｔ字状囲枠
１１ａ１，１１ａ１  延長枠部        １１ｂ  略方形状囲枠
１１ｂ１，１１ｂ１  延長枠部        １２  排気覆板
１３  共通の排気用空間
１３ａ  Ｔ字状囲枠内の共通の排気用空間
１３ｂ  略方形状囲枠内の共通の排気用空間
【図１】
0003547576.tif 000002
【図２】
0003547576.tif 000003
【図３】
0003547576.tif 000004
【図４】
0003547576.tif 000005
【図５】
0003547576.tif 000006
【図６】
0003547576.tif 000007